(57)【要約】【課題】  ＣＯ2 冷媒用スクロール圧縮機に用いるリリース弁の信頼性を向上させるとともに、効率の低下を抑制する。【解決手段】  スクロール圧縮機１は、渦巻状のラップ５ｃが形成された固定スクロール５と、渦巻状のラップ６ａが形成された旋回スクロール６とを備える。両ラップを組み合わせて圧縮室１１が形成される。圧縮室から吐出されるガスが導かれる吐出圧室と圧縮室とを連通可能なリリース弁装置１５が固定スクロールに設けられている。リリース弁装置は、圧縮室と吐出圧室とを連通するリリース流路１５ｉと、このリリース流路に介在し弾性部材１５ｅに取り付けられたリリース弁１５ｄと、このリリース弁との間でリリース流路を開閉し中央部にリリース穴１５ａが形成された弁シート１５ｂとを有する。リリース穴径と固定スクロールのラップの厚さの比を０.５〜０.９とした。【選択図】図３
2008157109.tif 000002
【特許請求の範囲】
【請求項１】
渦巻状のラップが形成された固定スクロールと、渦巻状のラップが形成された旋回スクロールとを備え、前記両ラップを組み合わせて圧縮室を形成し、旋回スクロールの旋回により圧縮室を中央部に移動させるスクロール圧縮機において、圧縮室から吐出されるガスが導かれる吐出圧室と圧縮室とを連通可能なリリース弁装置を前記固定スクロールに設け、このリリース弁装置は、圧縮室と吐出圧室とを連通するリリース流路と、このリリース流路に介在し弾性部材に取り付けられたリリース弁と、このリリース弁との間でリリース流路を開閉し中央部にリリース穴が形成された弁シートとを有し、リリース穴径ｄを固定スクロールのラップの厚さよりも小さくしたことを特徴とするスクロール圧縮機。
【請求項２】
前記リリース流路の大径部の径Ｄと前記リリース穴径ｄとの比を０.１３〜０.６としたことを特徴とする請求項１に記載のスクロール圧縮機。
【請求項３】
旋回スクロール及び固定スクロールを組み合わせて圧縮室を形成し、圧縮室に吸入した作動流体を圧縮する圧縮機構部と、前記圧縮機構部を収納すると共に圧縮室で圧縮された作動流体が吐出される吐出圧室が形成された密閉容器とを備えたスクロール圧縮機において、前記固定スクロールに、圧縮室の圧力が設定吐出圧力より上昇したときに、圧縮室と吐出圧室とを連通するリリース弁装置を設け、このリリース弁装置は、圧縮室と吐出圧室とを連通するように設けられたリリース弁室およびリリース穴と、このリリース穴を開閉するリリース弁と、このリリース弁に弾性押圧力を付加する弁押圧体と、この弁押圧体の移動範囲を制限する圧入部材とを備え、リリース穴径とスクロールラップの厚みの比を
０.５〜０.９としたことを特徴とするスクロール圧縮機。
【請求項４】
旋回スクロール及び固定スクロールを組み合わせて圧縮室を形成し、圧縮室に吸入した作動流体を圧縮する圧縮機構部と、前記圧縮機構部を収納すると共に圧縮室で圧縮された作動流体が吐出される吐出圧室が形成された密閉容器とを備えたスクロール圧縮機において、前記固定スクロールに、圧縮室の圧力が設定吐出圧力より上昇したときに、圧縮室と吐出圧室とを連通するリリース弁装置を設け、このリリース弁装置は、圧縮室と吐出圧室とを連通するように設けられたリリース弁室およびリリース穴と、このリリース穴を開閉するリリース弁と、このリリース弁に弾性押圧力を付加する弁押圧体と、この弁押圧体の移動範囲を制限する圧入部材とを備え、リリース穴の長さとリリース弁室径の比を0.13〜０.６としたことを特徴とするスクロール圧縮機。
【請求項５】
旋回スクロール及び固定スクロールを組み合わせて圧縮室を形成し、圧縮室に吸入した作動流体を圧縮する圧縮機構部と、前記圧縮機構部を収納すると共に圧縮室で圧縮された作動流体が吐出される吐出圧室が形成された密閉容器とを備えたスクロール圧縮機において、前記固定スクロールに、圧縮室の圧力が設定吐出圧力より上昇したときに、圧縮室と吐出圧室とを連通するリリース弁装置を設け、このリリース弁装置は、圧縮室と吐出圧室とを連通するように設けられたリリース弁室およびリリース穴と、このリリース穴を開閉するリリース弁と、このリリース弁に弾性押圧力を付加する弁押圧体と、この弁押圧体の移動範囲を制限する圧入部材とを備え、リリース穴径を前記固定スクロールのラップ厚さより小さくしたことを特徴とするスクロール圧縮機。
【請求項６】
リリース穴の長さとリリース弁室径の比を、０.１３〜０.６としたことを特徴とする請求項３に記載のスクロール圧縮機。
【請求項７】
作動冷媒に二酸化炭素を用いた請求項３ないし６のいずれか１項に記載のスクロール圧縮機。
【請求項８】
請求項７に記載のスクロール圧縮機を搭載したことを特徴とする冷凍サイクル。
【請求項９】
冷凍機油にＰＡＧまたはＰＡＯのいずれかを用いた請求項３ないし６のいずれか１項に記載のスクロール圧縮機。
【請求項１０】
請求項９に記載のスクロール圧縮機を搭載したことを特徴とする冷凍サイクル。
【発明の詳細な説明】
【技術分野】
【０００１】
本発明は、スクロール圧縮機および冷凍サイクルに係り、特にヒートポンプ給湯機に用いるのに好適なスクロール圧縮機および冷凍サイクルに関する。
【背景技術】
【０００２】
二酸化炭素（以下、ＣＯ2 と称す）を冷媒とするヒートポンプ給湯機に、スクロール圧縮機を用いる例が、特許文献１に記載されている。ヒートポンプ給湯機のスクロール圧縮機では、広範囲にわたる運転条件の下でスクロール圧縮機を使用するので、冷媒ガスを過圧縮したり、液冷媒や冷凍機油を液圧縮するおそれがある。
【０００３】
そこで特許文献２に記載のスクロール圧縮機では、過圧縮や液圧縮を回避するために、リリース弁装置を固定スクロールに設けている。このリリース弁装置は、リリース流路と、リリース流路を開閉するように設けたリリース弁と、リリース弁に弾性押圧力を付加する弁押圧体と、リテーナとを有している。弁押圧体は、リリース弁がリリース流路を閉じた状態でフリーになり、リリース流路を開いた状態で圧縮される弾性部を有する。
【０００４】
【特許文献１】特開２００６−９６４０号公報
【特許文献２】特開２００６−９７８１号公報
【発明の開示】
【発明が解決しようとする課題】
【０００５】
上記特許文献１に記載のスクロール圧縮機は、ＣＯ2 冷媒を用いたヒートポンプ給湯機をも想定して、低圧縮比化された場合にも旋回スクロールが固定スクロールから引き離されるのを防止するために、背圧空間の圧力と圧縮室との圧力差を、一定にしている。しかしながら、この公報に記載のスクロール圧縮機では、圧縮室そのものの圧力については十分には考慮されていないので、過圧縮や液圧縮等の不具合が発生するおそれを排除できない。
【０００６】
特許文献２に記載のスクロール圧縮機では、圧縮室の圧力が設定吐出圧力より上昇した場合に圧縮室と吐出圧室とを連通するリリース弁装置を、固定スクロールに設け、過圧縮や液圧縮を回避している。また、リリース弁装置のデッドボリュームを小さくして、圧縮機の効率を向上させている。しかしながらこの公報に記載のスクロール圧縮機は、ＣＯ2 を冷媒とすることを考慮していないので、Ｒ４１０ＡなどのＨＦＣ系冷媒に対して動作圧力が３倍から４倍となることには十分配慮されていない。そのため、スクロール圧縮機に用いるリリース弁が高圧特殊仕様化されていない。
【０００７】
本発明は上記従来技術の不具合に鑑みなされたものであり、その目的は、ＣＯ2 冷媒用スクロール圧縮機に用いるリリース弁の信頼性を向上させるとともに、効率の低下を抑制することにある。
【課題を解決するための手段】
【０００８】
上記目的を達成するための本発明の特徴は、渦巻状のラップが形成された固定スクロールと、渦巻状のラップが形成された旋回スクロールとを備え、両ラップを組み合わせて圧縮室を形成し、旋回スクロールの旋回により圧縮室を中央部に移動させるスクロール圧縮機において、圧縮室から吐出されるガスが導かれる吐出圧室と圧縮室とを連通可能なリリース弁装置を固定スクロールに設け、このリリース弁装置は、圧縮室と吐出圧室とを連通するリリース流路と、このリリース流路に介在し弾性部材に取り付けられたリリース弁と、このリリース弁との間でリリース流路を開閉し中央部にリリース穴が形成された弁シートとを有し、リリース穴径を固定スクロールのラップの厚さよりも小さくしたことにある。そしてこの特徴において、リリース流路の大径部とリリース穴径との比を０.１３〜0.6
とするのがよい。
【０００９】
上記目的を達成するために、旋回スクロール及び固定スクロールを組み合わせて圧縮室を形成し、圧縮室に吸入した作動流体を圧縮する圧縮機構部と、前記圧縮機構部を収納すると共に圧縮室で圧縮された作動流体が吐出される吐出圧室が形成された密閉容器とを備えたスクロール圧縮機において、前記固定スクロールに、圧縮室の圧力が設定吐出圧力より上昇したときに、圧縮室と吐出圧室とを連通するリリース弁装置を設け、このリリース弁装置は、圧縮室と吐出圧室とを連通するように設けられたリリース弁室およびリリース穴と、このリリース穴を開閉するリリース弁と、このリリース弁に弾性押圧力を付加する弁押圧体と、この弁押圧体の移動範囲を制限する圧入部材とを備えるものであって、
（１）リリース穴径とスクロールラップの厚みの比を０.５〜０.９とするか、
（２）リリース穴の長さとリリース弁室径の比を０.１３〜０.６とするか、
（３）リリース穴径を固定スクロールのラップ厚さより小さくすることを特徴とする。
【００１０】
そしてこれらの特徴のいずれかにおいて、作動冷媒に二酸化炭素を用いるのがよく、冷凍機油にＰＡＧまたはＰＡＯのいずれかを用いるのがよい。
【００１１】
また、冷凍サイクルが上記いずれかに記載のスクロール圧縮機を搭載するのが好ましい。
【発明の効果】
【００１２】
本発明によれば、ＣＯ2 冷媒用スクロール圧縮機において、リリース弁装置の圧力損失と漏れ損失を低減できる。また、信頼性が向上する。
【発明を実施するための最良の形態】
【００１３】
以下、本発明に係るスクロール圧縮機の一実施例を、図面を用いて説明する。図１は、スクロール圧縮機１の縦断面図であり、図２は、図１に示したスクロール圧縮機１の主要部の横断面図である。図３は、図１に示したスクロール圧縮機１が備えるリリース弁装置１５の縦断面図であり、開路状態を示す図である。図４は、図３と同一部の縦断面図であり、閉路状態を示す図である。図５は、図１に示したスクロール圧縮機１が備える固定スクロール５の平面図である。なお、本実施例のスクロール圧縮機１は、ヒートポンプ給湯機に用いるものであり、冷媒にはＣＯ2 を使用する。
【００１４】
スクロール圧縮機１では、渦巻状のラップ６ａを台板６ｂ上に立設した旋回スクロール６と、これも渦巻状のラップ５ｃを台板５ｄ上に立設した固定スクロール５とを互いに組み合わせて圧縮機構部３を形成する。圧縮機構部３は、固定スクロール５にボルト８で一体化されて旋回スクロール６を支持するフレーム９も備えている。圧縮機構部３は、電動機４により駆動される。圧縮機構部３と電動機４は、密閉容器２に収納されている。密閉容器２内の上部には圧縮機構部３が、下部には電動機４が配置されている。密閉容器２の底部には、潤滑油１３が貯留されている。
【００１５】
密閉容器２は、円筒状のケース２ａの上下両端部に、蓋チャンバ２ｂと底チャンバ２ｃが溶接されて、構成されている。蓋チャンバ２ｂには、吸込パイプ２ｄが設けられている。ケース２ａ側面には、吐出パイプ２ｅが設けられている。密閉容器２の内部は、吐出圧室２ｆとなる。吐出圧室２ｆには、圧縮機構部３と電動機４が収納されている。
【００１６】
図２に示すように、固定スクロール５には、吸入口５ａと吐出圧室２ｆに通じるガス通路５ｂが形成されている。固定スクロール５に対向して、旋回スクロール６が旋回自在に配置されている。固定スクロール５のラップ５ｃと旋回スクロール６のラップ６ａとの間に、吸込室１０と圧縮室１１が形成されている。
【００１７】
固定スクロール５と一体化されたフレーム９の外周側は、溶接により密閉容器２の内壁面に固定されている。固定スクロール５には、詳細を後述するリリース弁装置１５が設けられている。フレーム９に、クランク軸７を回転自在に支持する主軸受９ａが保持されている。旋回スクロール６の下面側に、クランク軸７の偏心部７ｂが連結されている。
【００１８】
旋回スクロール６の下面側とフレーム９の間には、オルダムリング１２が配置されている。オルダムリング１２は、旋回スクロール６の下面側に形成された溝とフレーム９に形成された溝に装着される。オルダムリング１２は、旋回スクロール６を自転することなく、クランク軸７の偏心部７ｂの偏心回転を受けて公転運動させる。
【００１９】
電動機４は、固定子４ａおよび回転子４ｂを備えている。固定子４ａは、密閉容器２に圧入または溶接などにより固定されている。回転子４ｂは、固定子４ａの内周面と僅かな隙間をもって対向している。回転子４ｂはクランク軸７に固定されており、回転子４ｂが回転すると、旋回スクロール６が旋回運動する。
【００２０】
クランク軸７では、主軸７ａの上端部に偏心部７ｂが形成されており、フレーム９に保持した主軸受９ａとクランク軸７の下端側に配置した下軸受１７とで、クランク軸７は回転可能に支持される。偏心部７ｂは、クランク軸７の主軸７ａに対して偏心して一体に形成されている。偏心部７ｂは、旋回スクロール６の背面に配置した旋回軸受に嵌合されている。
【００２１】
クランク軸７が電動機４で駆動されると、偏心部７ｂは主軸７ａに対して偏心回転運動し、旋回スクロール６を駆動させる。クランク軸７の中心部には、主軸受９ａおよび下軸受１７，旋回軸受へ潤滑油１３を導く給油通路７ｃが、軸方向に延びて形成されている。クランク軸７の下端側には、給油室が形成されており、この給油室には、密閉容器２の底部に形成された貯油室から潤滑油１３を吸い上げて給油通路７ｃに導く給油管７ｄが、装着されている。
【００２２】
旋回スクロール６の背面側とフレーム９との間には、吸込パイプ２ｄの圧力と吐出圧室２ｆの圧力の中間の圧力となる中間圧室１４が形成されている。中間圧室１４と吐出圧室２ｆの圧力差により、密閉容器２底部に封入した潤滑油１３は、クランク軸７の中心部に形成された給油通路７ｃを経て、主軸受９ａなどに供給される。ここで、密閉容器２内の潤滑油１３を圧縮機構部３の摺動部に供給する経路中に、中間圧室１４を形成する。
【００２３】
旋回スクロール６が電動機４に接続されたクランク軸７により旋回駆動されると、冷媒ガスは、吸込パイプ２ｄから旋回スクロール６と固定スクロール５が形成する圧縮室１１に導かれる。旋回スクロール６が旋回し続けるので、圧縮室１１は固定スクロール５の中心方向に移動する。圧縮室１１は中心に向かうに従い容積を縮小するので、冷媒ガスもその容積が縮小され、圧縮される。圧縮された冷媒ガスは、固定スクロール５の台板５ｄのほぼ中央に形成した吐出口５ｅから、密閉容器２内の吐出圧室２ｆへ吐き出される。その後、冷媒ガスは、吐出パイプ２ｅから外部へと流出する。
【００２４】
このような冷媒ガスの圧縮過程において、冷媒が過圧縮されるのと液圧縮されるのを防止するために、図５に示すようにリリース弁装置１５が、圧縮機構部に形成される複数の圧縮室に対応して、複数個固定スクロール５に設けられている。図５は、固定スクロール５を反ラップ面側から見た図である。リリース弁装置１５は、圧縮室１１の圧力が吐出圧力以上になったとき、圧縮室１１から吐出圧室２ｆに冷媒を吐出する。
【００２５】
図３および図４に、リリース弁装置１５を縦断面図で示す。図３は、リリース弁を閉じた状態を示しており、図４はリリース弁を開いた状態を示している。リリース弁装置１５では、固定スクロール５の反ラップ面側からラップ面側に貫通して形成した段付き穴に、段付き部をストッパとして、ガイド部材１５ｆが嵌合されている。ガイド部材１５ｆの反ラップ側には、圧入部材１６が圧入されている。ガイド部材１５ｆは、同心リング状をしており、内側のリング部材は、固定スクロール５のラップ側に突き出た形状となっている。
【００２６】
ガイド部材１５ｆの内側のリング状部材の突き出た部分には、コイルばね等の弾性部材１５ｅが嵌合されている。弾性部材１５ｅとガイド部材１５ｆとは、弁押圧体１５ｈを構成する。弁押圧体１５ｈは、後述するリリース穴１５ａが閉じられる際に、リリース弁
１５ｄに弾性押圧力を付加する。圧入部材１６は、弁押圧体１５ｈの移動範囲を制限する。
【００２７】
弾性部材１５ｅの開放端側、すなわちラップ側にはリリース弁１５ｄが取り付けられている。ガイド部材１５ｆの内側のリング部材の突端から距離を置いて、段付き穴に弁座部１５ｋが形成されている。弁座部１５ｋの表面には、リリース弁１５ｄとの間で開閉動作が可能なように、弁シート１５ｂが形成されている。なお、弁座部１５ｋは、別体であってもよく、固定スクロール５と一体に形成されていてもよい。
【００２８】
弁座部１５ｋである段付き穴部の径をＤ、弁座部１５ｋの中心部に形成したリリース穴１５ａの径をｄ、弁座部１５ｋの軸方向長さをｌとする。直径がＤの段付き穴部は、リリース弁室１５ｃを形成する。したがって、リリース弁室１５ｃの径Ｄは、リリース穴15ａの径より大きい。リリース弁室１５ｃとリリース穴１５ａとは、リリース流路１５ｉを構成する。リリース流路１５ｉは、圧縮室１１と吐出圧室２ｆとを連通する。リリース弁
１５ｄは、リリース穴１５ａを開閉する。
【００２９】
このように構成したリリース弁装置１５では、冷媒ガスが圧縮される過程で、圧縮室
１１の圧力が吐出圧室２ｆの圧力より高くなると、リリース弁装置１５は、図４に示したように開路状態となり、圧縮室１１の圧力が吐出圧室２ｆの圧力より低くなると、図３に示したようにリリース弁装置１５は閉路状態となる。
【００３０】
スクロール圧縮機１を通常運転したときに、過圧縮になるか否かは、スクロールラップの押除量Ｖthと吐出口５ｅと連通した時の圧縮室容積Ｖd の比である設計容積比Ｖr と、吐出圧力Ｐｄと吸込圧力Ｐｓの比とで決まる。後者の比を、運転圧力比と称する。設計容積比Ｖr と運転圧力比の関係は、冷媒ガスの断熱指数をｋとして、式（１）で表されるすなわち、運転圧力比に断熱指数ｋを乗じた値が、設計容積比Ｖr より大きいときは不足圧縮になり、その値が小さいときは過圧縮となる。
【００３１】
Ｖr＝ (Ｖth／Ｖd) ＝ (Ｐd／Ｐs)k                                    …（１）
ＣＯ2 冷媒を用いたヒートポンプ給湯機にスクロール圧縮機１を用いると、６５℃の湯を作るためには、設計容積比Ｖr が、約２.０ だけ必要になる。また、９０℃の湯を作るためには、設計容積比Ｖr を、約２.５ としなければならない。すなわち、設計容積比
Ｖr を２.０ にすると、９０℃の湯を作るときには不足圧縮となり、設計容積比Ｖr を
２.５ にすると、６５℃の湯を作るときには過圧縮となる。そこで、スクロール圧縮機１は、リリース弁装置１５を有しているので、通常、設計容積比Ｖr を２.５ に設定し、
９０℃の湯を作るときの不足圧縮を回避する。そして、６５℃の湯を作るときには、リリース弁装置１５を動作させて、過圧縮を防止する。
【００３２】
弁座部１５ｋが固定スクロール５と一体的に形成されているときは、リリース弁装置
１５の弁シート１５ｂを所定の精度で仕上げることが困難になる。そのため、リリース弁１５ｄと弁シート１５ｂの間には、面粗さに相当する隙間が生じる。ＣＯ2 冷媒を用いた圧縮機では、動作圧力が高いので、この隙間からの漏れが大きな効率低下を引き起こす。
【００３３】
リリース穴径ｄを、大径化すると弁シート１５ｂもそれに伴い大径化し、弁シート15ｂ部の漏れ流路が長くなり、漏れが増大する。逆に、リリース穴径ｄを小径化すると圧力損失が増大する。このように、リリース穴径ｄには、効率上の最適な範囲がある。リリース穴径ｄを、固定スクロールラップ５ｃの厚みＴより大きくすると、隣の圧縮室１１と連通し漏れが発生する。そのため、リリース穴径ｄを、スクロールラップの厚みＴ以下にしなければならない。
【００３４】
図６に、リリース穴径ｄが効率に及ぼす影響を、グラフで示す。６５℃の湯を作る場合である。横軸は、リリース弁装置１５のリリース穴径ｄとスクロールラップの厚みＴとの比である。縦軸は、圧力損失による効率低下量および漏れ損失による効率低下量を示す。圧力損失による効率低下量と漏れ損失による効率低下量は相反する傾向にある。そして、これら２つの損失の合計には、最小となる範囲がある。この図６からは、リリース穴径ｄとスクロールラップの厚みＴとの比ｄ／Ｔを、０.５〜０.９にすれば、効率低下が抑制されることが分かる。
【００３５】
リリース穴１５ａの長さを短くすると、旋回スクロール６の旋回運動により移動する圧縮室１１とともに移動せずに滞留する冷媒の容積であるデッドボリュームが小さくなり、スクロール圧縮機１の効率が向上する。しかしながら、弁シート１５ｂ部に吐出圧室と圧縮室１１の圧力差が作用するので、リリース穴１５ａの長さが短いと、弁シート１５ｂ部の変形や強度不足を生じるおそれがある。
【００３６】
図７に、リリース穴１５ａの長さｌにより、弁シート１５ｂ部に作用する応力および変形が変化する様子をグラフで示す。横軸は、リリース穴長ｌとリリース弁室径Ｄとの比ｌ／Ｄである。６５℃の湯を作る場合である。リリース穴長ｌを短くすると、応力は大きくなる。固定スクロール５の製造に当たっては、量産性を考慮して型成型可能な鋳鉄を用いている。鋳鉄の降伏応力は約２５０ＭＰａなので、安全率を３とすれば、リリース穴長ｌとリリース弁室径Ｄとの比ｌ／Ｄは、０.１３ 以上必要である。
【００３７】
変形はリリース穴長ｌを長くすると小さくなるが、デッドボリュームが大きくなり、効率が低下する。リリース穴長ｌとリリース弁室径Ｄとの比ｌ／Ｄは、リリース穴長ｌがそれ以上長くなっても変化しない、０.６ 以下にすることが望ましい。すなわち、リリース穴長ｌとリリース弁室径Ｄとの比ｌ／Ｄを、０.１３〜０.６に設定すれば、効率低下も少なく信頼性も確保できる。
【００３８】
作動冷媒にＣＯ2 を用い、冷凍機油にＰＡＧまたはＰＡＯを用いたスクロール圧縮機１をヒートポンプ式給湯機１００に適用した場合の冷凍サイクル構成図を、図８に示す。冷凍サイクルは、スクロール圧縮機１、および水冷媒熱交換器１８，膨張弁２０，蒸発器
２１を順次配管接続して形成されている。水冷媒熱交換器１８には、水通路１９が含まれており、冷媒と水とが対向流となって、熱交換効率を向上させている。蒸発器２１には、外気との熱交換を促進するために蒸発器ファン２１ａが備えられている。
【００３９】
スクロール圧縮機１で圧縮された冷媒ガスは、吐出パイプ２ｅから熱交換器１８に流入して、水通路１９内の水と熱交換する。その後、膨張弁２０で減圧され蒸発器２１で吸熱、ガス化された後、吸入パイプ２ｄを経てスクロール圧縮機１に吸入される。ここでヒートポンプ式給湯機１００は、上記実施例に示したスクロール圧縮機１を搭載しているので、信頼性が高くエネルギ効率に優れる。
【図面の簡単な説明】
【００４０】
【図１】本発明に係るスクロール圧縮機の一実施例の縦断面図。
【図２】図１に示したスクロール圧縮機の圧縮機構部の横断面図。
【図３】図１に示したスクロール圧縮機が有するリリース弁装置の動作を説明する図。
【図４】図１に示したスクロール圧縮機が有するリリース弁装置の動作を説明する図。
【図５】図１に示したスクロール圧縮機が有する固定スクロールの平面図。
【図６】図１に示したスクロール圧縮機が有するリリース弁装置を説明するグラフ。
【図７】図１に示したスクロール圧縮機が有するリリース弁装置を説明するグラフ。
【図８】本発明に係るヒートポンプ給湯機の一実施例の冷凍サイクル図。
【符号の説明】
【００４１】
１  スクロール圧縮機
２  密閉容器
２ａ  ケース
２ｂ  蓋チャンバ
２ｃ  底チャンバ
２ｄ  吸込パイプ
２ｅ  吐出パイプ
２ｆ  吐出圧室
３  圧縮機構部
４  電動機
４ａ  固定子
４ｂ  回転子
５  固定スクロール
５ａ  吸入口
５ｂ  ガス通路
５ｃ，６ａ  ラップ
５ｄ，６ｂ  台板
５ｅ  吐出口
６  旋回スクロール
７  クランク軸
７ａ  主軸
７ｂ  偏心部
７ｃ  給油通路
７ｄ  給油管
８  ボルト
９  フレーム
９ａ  主軸受
１０  吸込室
１１  圧縮室
１２  オルダムリング
１３  潤滑油
１４  中間圧室
１５  リリース弁装置
１５ａ  リリース穴
１５ｂ  弁シート
１５ｃ  リリース弁室
１５ｄ  リリース弁
１５ｅ  弾性部材
１５ｆ  ガイド部材
１５ｈ  弁押圧体
１５ｉ  リリース流路
１５ｋ  弁座部
１６  圧入部材
１７  下軸受
１８  熱交換器
１９  水通路
２０  膨張弁
２１  蒸発器
２１ａ  蒸発器ファン
１００  ヒートポンプ式給湯機
【図１】
2008157109.tif 000003
【図２】
2008157109.tif 000004
【図３】
2008157109.tif 000005
【図４】
2008157109.tif 000006
【図５】
2008157109.tif 000007
【図６】
2008157109.tif 000008
【図７】
2008157109.tif 000009
【図８】
2008157109.tif 000010